(57)【要約】【課題】ストランド切れが発生した場合であっても、ペレタイザーなどの切断部にストランドを連続的に供給することができるペレット製造装置を提供する。【解決手段】吐出口１１を有し、溶融した熱可塑性樹脂を吐出口１１からストランド状に吐出して供給する供給部１０と、水平または搬送方向に向かって下り勾配である搬送面２１を有し、ストランド状の熱可塑性樹脂２５を搬送する搬送部２０と、搬送部２０によって搬送されたストランド状の熱可塑性樹脂２５をペレット状に切断する切断部３０と、を備え、搬送面２１は、供給部１０側に位置する搬送開始端２１ａ、及び、搬送面２１の切断部３０側に位置する搬送終了端２１ｂを有するものであり、搬送開始端２１ａは、吐出口１１と同じ高さまたは吐出口１１よりも低い位置にあり、搬送終了端２１ｂは、切断部３０と同じ高さまたは切断部３０よりも高い位置にあるペレット製造装置１００。【選択図】図１
2010058481.tif 000002
【特許請求の範囲】
【請求項１】
吐出口を有し、溶融した熱可塑性樹脂を前記吐出口からストランド状に吐出して供給する供給部と、
水平または搬送方向に向かって下り勾配である搬送面を有し、ストランド状の前記熱可塑性樹脂を搬送する搬送部と、
前記搬送部によって搬送されたストランド状の前記熱可塑性樹脂をペレット状に切断する切断部と、を備え、
前記搬送面は、前記供給部側に位置する搬送開始端、及び、前記搬送面の前記切断部側に位置する搬送終了端を有するものであり、
前記搬送開始端は、前記吐出口と同じ高さまたは前記吐出口よりも低い位置にあり、前記搬送終了端は、前記切断部と同じ高さまたは前記切断部よりも高い位置にあるペレット製造装置。
【請求項２】
ペレット状の前記熱可塑性樹脂を上方に搬送する上方搬送部を更に備える請求項１に記載のペレット製造装置。
【請求項３】
前記上方搬送部が、振動型である請求項２に記載のペレット製造装置。
【請求項４】
前記搬送部は、前記搬送面を有する搬送ベルトと、前記搬送面に向って冷却水を噴霧する噴霧器と、を備え、前記搬送ベルトには、噴霧された前記冷却水が排出される複数の貫通孔が形成されている請求項１〜３のいずれか一項に記載のペレット製造装置。
【請求項５】
前記搬送部と前記切断部の間に、前記搬送部から搬出されるストランド状の前記熱可塑性樹脂の表面に付着した水分を除去する水分除去部を更に備える請求項１〜４のいずれか一項に記載のペレット製造装置。
【発明の詳細な説明】
【技術分野】
【０００１】
本発明は、ペレット製造装置に関する。更に詳しくは、ストランド切れが発生した場合であっても、ペレタイザーなどの切断部にストランドを連続的に供給することができるペレット製造装置に関する。
【背景技術】
【０００２】
従来、熱可塑性樹脂からなるペレットは、溶融した熱可塑性樹脂を押出機からストランド状に押出し、このストランド状の熱可塑性樹脂を冷却して固化させた後、ペレタイザーなどでペレット状に切断することによって製造する方法などが知られている。
【０００３】
そして、熱可塑性樹脂を冷却する方法としては、冷却水浴中に熱可塑性樹脂を通す方法（例えば、特許文献１参照）や、いわゆるメッシュコンベア（なお、「メッシュコンベア」と同じものが、メーカーにより、違った名称（即ち、ネットコンベア）で、呼称、販売されている）を用い、冷却シャワー水によって冷却する方法などが挙げられる。
【０００４】
メッシュコンベアを用いる方法としては、具体的には、図２に示すペレット製造装置２００を用いる方法が知られている。図２に示すペレット製造装置２００は、多数の孔が形成されたオリフィスプレート１１１を有し、このオリフィスプレート１１１から溶融した熱可塑性樹脂をストランド状に吐出する押出機１１０と、昇り勾配に傾斜した搬送面１２１を有するメッシュコンベア（搬送部）１２０と、上記メッシュコンベア１２０から搬出されるストランド状の熱可塑性樹脂１２５の表面に付着した水分を除去する水分除去部１５０と、上記水分除去部１５０で表面の水分が除去された熱可塑性樹脂１２５を切断してペレット状にする固定刃１３３及び回転刃１３２を有する切断部１３０を備えるペレタイザー１３１と、ペレット状の熱可塑性樹脂１６６を、大きさ別に選別する振動篩１６０と、を備えている。
【０００５】
押出機１１０内の溶融した熱可塑性樹脂は、オリフィスプレート１１１の孔を通ることによって太さ（直径）数ｍｍの円柱状（ストランド状）に形成されて、ペレタイザー１３１まで搬送される。振動篩１６０は、ペレット状の熱可塑性樹脂１６６から、粗大ペレット、微小ペレットを分別除去して、正常形状のペレットに篩い分けるものである。なお、篩としては、形式を問わず使用可能であり、振動式以外に、例えば、回転式などの篩を使用することができる。
【０００６】
【特許文献１】特開平１０−３１５２２８号公報
【発明の開示】
【発明が解決しようとする課題】
【０００７】
特許文献１に記載のペレット製造装置や図２に示すペレット製造装置２００は、押出機１１０からペレタイザー１３０までの搬送工程中の一部または全部において、ストランド状の熱可塑性樹脂（以下、「ストランド」と記す場合がある。）が昇り勾配で搬送されることがあった。そして、搬送に際して昇り勾配があると、仮にペレットの製造中に不具合が生じ、上記昇り勾配部分でストランドが切れてしまった場合に、昇り勾配部分にあるストランドが、自重によって後退してしまうことがあった。このような場合、上記不具合を解消したとしても後退してしまったストランドをペレットの製造に使用することは困難であり、廃棄しなければならなかった。
【０００８】
ストランド切れが生じるペレット製造中の上記不具合としては、例えば、押出機に不具合が生じることに起因して押し出される熱可塑性樹脂の流れが一定にならないこと、熱可塑性樹脂が押出機の出口付近に目やに状に形成され、この目やに状の熱可塑性樹脂がストランドに付着すること、強化材を含有する熱可塑性樹脂の場合、含有する強化材の分散が十分でないこと、また、強化材が押出機の出口に詰まることなどが挙げられ、これらの不良現象を皆無にすることは困難である。
【０００９】
なお、ストランド切れは、ペレット収量の低下、塊状のストランドがペレタイザーに導入されたことに起因する運転トラブルや機器故障の発生、ストランド切れ後の運転再開時に必要な運転作業の増大などの多くのマイナス要因の原因となる。
【００１０】
そこで、ストランド切れが発生した場合であっても、ストランドが後退してしまい難く、ペレタイザーなどの切断部にストランドを連続的に供給することができるペレット製造装置の開発が切望されていた。
【００１１】
本発明は、上述のような従来技術の課題を解決するためになされたものであり、ストランド切れが発生した場合であっても、ペレタイザーなどの切断部にストランドを連続的に供給することができるペレット製造装置を提供するものである。
【課題を解決するための手段】
【００１２】
本発明により、以下のペレット製造装置が提供される。
【００１３】
［１］  吐出口を有し、溶融した熱可塑性樹脂を前記吐出口からストランド状に吐出して供給する供給部と、水平または搬送方向に向かって下り勾配である搬送面を有し、ストランド状の前記熱可塑性樹脂を搬送する搬送部と、前記搬送部によって搬送されたストランド状の前記熱可塑性樹脂をペレット状に切断する切断部と、を備え、前記搬送面は、前記供給部側に位置する搬送開始端、及び、前記搬送面の前記切断部側に位置する搬送終了端を有するものであり、前記搬送開始端は、前記吐出口と同じ高さまたは前記吐出口よりも低い位置にあり、前記搬送終了端は、前記切断部と同じ高さまたは前記切断部よりも高い位置にあるペレット製造装置。
【００１４】
［２］  ペレット状の前記熱可塑性樹脂を上方に搬送する上方搬送部を更に備える前記［１］に記載のペレット製造装置。
【００１５】
［３］  前記上方搬送部が、振動型である前記［２］に記載のペレット製造装置。
【００１６】
［４］  前記搬送部は、前記搬送面を有する搬送ベルトと、前記搬送面に向って冷却水を噴霧する噴霧器と、を備え、前記搬送ベルトには、噴霧された前記冷却水が排出される複数の貫通孔が形成されている前記［１］〜［３］のいずれかに記載のペレット製造装置。
【００１７】
［５］  前記搬送部と前記切断部の間に、前記搬送部から搬出されるストランド状の前記熱可塑性樹脂の表面に付着した水分を除去する水分除去部を更に備える前記［１］〜［４］のいずれかに記載のペレット製造装置。
【発明の効果】
【００１８】
本発明のペレット製造装置は、ストランド切れが発生した場合であっても、ペレタイザーなどの切断部にストランドを連続的に供給することができるという効果を奏するものである。
【発明を実施するための最良の形態】
【００１９】
以下、本発明を実施するための最良の形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００２０】
［１］ペレット製造装置：
図１は、本発明のペレット製造装置の一の実施形態を示す模式図である。図１に示すように本実施形態のペレット製造装置１００は、吐出口１１を有し、溶融した熱可塑性樹脂を吐出口１１からストランド状に吐出して供給する押出機（供給部）１０と、水平または搬送方向に向かって下り勾配である搬送面２１を有し、ストランド状の熱可塑性樹脂２５（以下、「ストランド」と記す場合がある。）を搬送する搬送部２０と、搬送部２０によって搬送されたストランド状の熱可塑性樹脂２５をペレット状に切断する切断部３０を有するペレタイザー３１と、を備えている。
【００２１】
そして、ペレット製造装置１００は、搬送部２０とペレタイザー３１の間に、搬送部２０から搬出されるストランド２５の表面に付着した水分を除去する水分除去部５０を備え、ペレタイザー３１からペレット状の熱可塑性樹脂（以下、「ペレット」と記す場合がある。）６６が排出される側には、ペレット６６を上方に搬送する上方搬送部４０を備え、上方搬送部４０の後方には、上方搬送部４０から搬出されるペレット６６を選別する振動篩６０を備え、ペレタイザー３１と上方搬送部４０との間には、ペレタイザー３１から排出されるペレット６６を上方搬送部４０に受け渡す緩衝部６５を備えている。
【００２２】
更に、ペレット製造装置１００は、上記搬送部２０の搬送面２１が、供給部１０側に位置する搬送開始端２１ａ、及び、搬送面２１の切断部３０側に位置する搬送終了端２１ｂを有するものであり、搬送開始端２１ａは、吐出口１１と同じ高さまたは吐出口１１よりも低い位置にあり、搬送終了端２１ｂは、切断部３０と同じ高さまたは切断部３０よりも高い位置にあるものである。このようなペレット製造装置１００は、ストランド切れが発生した場合であっても、ペレタイザー３１の切断部３０にストランド２５を連続的に供給することができる。
【００２３】
［１−１］供給部：
供給部は、吐出口を有し、溶融した熱可塑性樹脂を吐出口からストランド状に吐出して供給するものである。この供給部は、上記条件を満たす限り、従来公知の押出機などを用いることができる。具体的には、原料となる熱可塑性樹脂を投入するためのホッパーと、このホッパーから投入された熱可塑性樹脂を撹拌しながら溶融する、撹拌翼を有する溶融部と、この溶融部に連結され、吐出口を有する射出部と、この射出部から溶融した熱可塑性樹脂を射出するために射出部内を加圧する加圧部と、を備えている。
【００２４】
供給部が有する吐出口の数は、特に制限はなく、１つであっても、複数であってもよいが、通常、数〜数十個の吐出口を有している。また、吐出口の開口径は、１〜５ｍｍであることが好ましく、１．５〜４．０ｍｍであることが更に好ましく、２．０〜３．５ｍｍであることが特に好ましい。上記開口径が１ｍｍ未満であると、吐出されるストランドが細すぎるため、ストランド切れの原因となるおそれがある。一方、５ｍｍ超であると、吐出されるストランドが太すぎるため、搬送部において十分に冷却することが困難になり、所望の品質、形状のペレットを得ることができないおそれがある。また、ペレットを使用する際、例えば、顧客がペレットを使用して製品を成型する際、成型機においてペレットの供給が不安定となるおそれもある。
【００２５】
熱可塑性樹脂としては、例えば、スチレン系樹脂、アクリル系樹脂、ポリカーボネート系樹脂、ナイロン系樹脂、ポリアセタール樹脂、変性ポリフェニレンエーテル樹脂、ポリブチレン樹脂、ポリエチレンテレフタレート樹脂、ポリスルフォン樹脂、ポリエーテルスルフォン樹脂、ポリフェニレンスルファイド樹脂、ポリアリレート樹脂、ポリアミドイミド樹脂、ポリエーテルイミド樹脂、ポリエーテルエーテルケトン樹脂、液晶ポリマー樹脂、などを挙げることができる。これらの中でも、ナイロン樹脂、ポリフェニレンスルファイド樹脂、液晶ポリマー樹脂は、ストランド切れが生じ易いため、これらの樹脂コンパウンドのペレット製品を製造する際、特に、これらの樹脂の強化コンパウンドのペレット製品を製造する際に、本発明のペレット製造装置を用いることが好適である。
【００２６】
［１−２］搬送部：
搬送部は、水平または搬送方向に向かって下り勾配である搬送面を有し、ストランド状の熱可塑性樹脂を搬送するものである。また、この搬送部は、搬送面を有する搬送ベルトと、搬送面に向って冷却水を噴霧する噴霧器と、を備え、搬送ベルトには、噴霧された冷却水が排出される複数の貫通孔が形成されていることが好ましい。このように噴霧器を使用すると、霧状の冷却水によってストランドを冷却することができるため、冷却に際してストランド切れが生じ難くなるという利点がある。また、上記搬送ベルトを用いると、搬送面上に冷却水が溜まり難く、即ち、搬送面上の水はけが良く、ストランド表面に付着する水分の量を少なくすることができるという利点がある。
【００２７】
搬送部としては、従来公知のコンベアを用いることができるが、例えば、メッシュコンベア、ネットコンベア、ベルトコンベア、振動コンベアなどを挙げることができる。これらの中でも、搬送面上の水はけが良く、ストランド表面に付着する水分の量を少なくすることができるため、メッシュコンベア、ネットコンベア（同じもので、名称が異なるのみ）が好ましい。
【００２８】
搬送ベルトとしては、金属製のワイヤネットベルトやメッシュベルト等を用いることができる。製造条件によっては、合成樹脂製のワイヤネットベルトやメッシュベルトを用いることもできる。
【００２９】
なお、従来のペレット製造装置として、例えば、ＲＩＥＴＥＲ−ＡＵＴＯＭＡＴＩＫ社（ドイツ）製のアンダーウォーター式の「ストランドペレタイザー」等のように、水流中にストランドを重力落下させて、水の流れを使って、ストランドをカッター（切断部）に誘導する装置がある。この装置は、切断後のストランド（ペレット）が、水中に存在するので、ペレットを脱水する装置や、乾燥する装置が必要となる。そのため、ペレット製造装置が大型になることがあった。また、上述した従来のペレット製造装置は、装置が複雑であったり、大型になるので、着色製品生産時の色換え作業や、樹脂の種類を換える作業が、煩雑で、多くの時間を費やすこととなるという問題がある。
【００３０】
搬送部出口付近のストランドの温度は、１００〜１５０℃であることが好ましく、１１０〜１４５℃であることが更に好ましく、１２０〜１４０℃であることが特に好ましい。上記温度の範囲内であると、ストランドに付着した水分が、ペレットの製造工程中で、ストランドが有する熱で蒸発するので、ストランドを乾燥する装置が不要であるという利点がある。上記温度が１００℃未満であると、ストランドに付着した水分が、そのまま製品（ペレット）に残ることがあるため、成形時の不良現象を引き起こすおそれがある。一方、１５０℃超であると、カッター（切断部）のベアリングを傷める等の設備故障の原因となるおそれがある。
【００３１】
搬送部の有する搬送面は、水平または搬送方向に向かって下り勾配である。このような構成によると、仮にストランド切れが生じた場合であっても、ストランドは、後退し難く、その場に留まるか、自重によって搬送方向に移動するし、更に、搬送部の力に助けられて、搬送方向に移動することになる。従って、ストランド切れが生じた場合であっても、ストランドが後退しないため、連続的にストランドを切断部に供給することができる。
【００３２】
下り勾配としては、具体的には、３０％以下であることが好ましく、１０％以下であることが更に好ましく、１％以下であることが特に好ましい。上記下り勾配が３０％超であると、ストランドに付着した水分の同伴量が増えるので、十分な品質のペレットが得られないおそれがある。しかも、下り勾配が大きいと、カッターが、床に設置できないことになるおそれがある。即ち、床を掘り下げる必要が生じるおそれがある。なお、本明細書において「下り勾配」とは、水平方向の移動距離に対する、鉛直方向の移動距離の割合を意味し、例えば、下り勾配が３０％とは、水平方向に１ｍ移動したとき、３０ｃｍ下ることをいう。
【００３３】
搬送面は、供給部側に位置する搬送開始端、及び、搬送面の切断部側に位置する搬送終了端を有するものであり、搬送開始端と搬送終了端の距離は、具体的には、１〜８ｍであることが好ましく、１．５〜６ｍであることが更に好ましく、２〜５ｍであることが特に好ましい。上記距離が１ｍ未満であると、ストランドの冷却が十分に行われなくなるおそれがある。一方、８ｍ超であると、不必要に長すぎて、運転操作面で不便となるおそれがある。また、搬送機製作上も、搬送面の重量が重くなりすぎて、現実的はでない搬送機となってしまう。なお、もっと長い搬送機が必要であれば、これらの搬送機を複数基直列に設置すれば、可能となる。
【００３４】
本発明のペレット製造装置は、搬送面の搬送開始端が、上述した吐出口と同じ高さまたは吐出口よりも低い位置にあるものである。このような構成によって、吐出口から吐出されたストランドが搬送途中で切れた場合であっても、ストランドは、その場に留まるか、自重によって搬送方向に移動することになる。従って、ストランドを切断部に連続的に供給することができる。
【００３５】
搬送面の搬送開始端は、吐出口と同じ高さまたは吐出口よりも低い位置にある限り、その位置には特に制限はないが、吐出口よりも低い位置にある場合、吐出口と搬送開始端との鉛直方向の距離は、１〜２０ｃｍであることが好ましく、１〜１０ｃｍであることが更に好ましく、２〜６ｃｍであることが特に好ましい。
【００３６】
［１−３］切断部：
切断部は、搬送部によって搬送されたストランド状の熱可塑性樹脂をペレット状に切断するものである。この切断部としては、従来公知のペレタイザーなどを用いることができる。図１に示すペレット製造装置１００は、切断部３０を有するペレタイザー３１を備えている。そして、切断部３０は、円柱状の回転軸３２ａの外周面上に複数配置され、回転軸３２ａの径方向に延びる刃３２ｂを有する回転刃３２と、この回転刃３２の刃３２ｂとともにストランド２５を切断する固定刃３３と、を備えている。そして、ストランド２５を挟持して回転刃３２と固定刃３３の間に誘導するニップロール３５とを備え、切断部３０によってペレット状に切断された熱可塑性樹脂は、ペレット排出路３６を通って排出される。
【００３７】
本発明のペレット製造装置は、搬送面の搬送終了端が、上記切断部と同じ高さまたは切断部よりも高い位置にあるものである。このような構成によって、ストランドが搬送途中で切れた場合であっても、ストランドは、自重によって搬送方向に移動することになる。従って、ストランドを切断部に連続的に供給することができる。
【００３８】
搬送面の搬送終了端は、切断部と同じ高さまたは切断部よりも高い位置にある限り、その位置には特に制限はないが、切断部よりも高い位置にある場合、搬送終了端と切断部との鉛直方向の距離は、０〜１０ｃｍであることが好ましく、０〜５ｃｍであることが更に好ましく、０〜３ｃｍであることが特に好ましい。
【００３９】
［１−４］上方搬送部：
本発明のペレット製造装置は、ペレット状の熱可塑性樹脂を上方に搬送する上方搬送部を更に備えることが好ましい。このような上方搬送部を備えることによって、ペレタイザーから排出されたペレットを振動篩などの選別機に良好に投入することができるという利点がある。
【００４０】
即ち、ストランドを切断して得られるペレットは、その大きさにバラつきがある。そのため、同じ大きさのペレットを得るために、振動篩などの選別機によって所定の大きさのペレットを選別する工程が行われている。そして、この振動篩などの選別機は、装置の上方からペレットを投入する必要があり、切断部の位置が低い場合、即ち、ペレットを排出するペレタイザーの排出口の位置が低い場合、ペレタイザーから排出されたペレットをそのまま振動篩などの選別機に投入することが困難であるという問題があった。そのため、例えば、図２に示すペレット製造装置２００のように、切断部の位置を高くして、ペレタイザーから排出されたペレットを振動篩などの選別機にそのままを投入できるようにしていた。
【００４１】
本発明のペレット製造装置は、ストランドを水平または搬送方向に向かって下り勾配で搬送するため、ストランド切れが発生した場合であっても、ペレタイザーなどの切断部にストランドを連続的に供給することができるものの、切断部の位置が低くなる傾向があり、上記問題が生じるおそれがあった。しかし、上述した上方搬送部を備えることによって、下方に排出されたペレットを上方に搬送することが可能になるため、切断部の位置が低いことに起因する上記問題を解消することができる。
【００４２】
上方搬送部としては、振動型、空気輸送型、バケット搬送型などを挙げることができる。これらの中でも、振動型のものであることが好ましい。振動型の上方搬送部であると、非常に安定、かつ、簡単にペレットを上方に搬送することができる。特に、ペレットが上方搬送部に付着してしまうことや、残留してしまうことなどの問題が生じ難く、併せて、振動搬送中に、ペレットを、冷却、乾燥することができため、安定した品質の確保が可能である。そして、後工程での乾燥設備を省略することも可能となる。また、樹脂の種類を換える作業において有利であり、他の搬送方式は作業面で、現実的ではない。
【００４３】
振動型の上方搬送部としては、例えば、スパイラルエレベータ、スパイラルコンベア、バイブレーティングコンベアなどを挙げることができる。これらの中でも、設置面積が小さく、清掃が容易であるため、スパイラルエレベータ、スパイラルコンベアが好ましい。図１に示すペレット製造装置１００は、上方搬送部としてスパイラルエレベータ４０を備える例を示している。
【００４４】
［１−５］水分除去部：
本発明のペレット製造装置は、図１に示すペレット製造装置１００のように、水分除去部５０を更に備えるものであることが好ましい。このような水分除去部５０を備えることによって、ストランドに付着した水分を、切断前に除去することができるため、乾燥設備が不要となるという利点がある。
【００４５】
水分除去部としては、例えば、空気噴出器、空気吸引器などを挙げることができる。空気噴出器としては、具体的には、図１に示すように、ストランドに圧縮空気を噴射する噴射ノズル５１ａと、圧縮空気を供給する空気供給ポンプ５１ｃと、これらを連結する供給配管５１ｂと、を備える空気噴出器５１を例示することができる。空気吸引器としては、具体的には、図１に示す空気吸引器５２のように、多数の吸引孔を有し、半円筒状の空気吸引部５２ａと、上記吸引孔と連通する吸引配管５２ｂと、吸引配管５２ｂに接続される吸引ポンプ５２ｃと、を備えるものを例示することができる。なお、図１に示すペレット製造装置１００は、水分除去部として空気噴出器５１と空気吸引器５２とを備えているが、いずれか一方を備えるものであってもよい。
【００４６】
図１に示すペレット製造装置１００の振動篩６０は、上方から順に、目の粗い篩６１ａ、目の細かい篩６１ｂを有する篩本体６１と、篩本体６１の上方に伸びる篩用導入路６３と、選別したペレットを排出する排出口と、篩本体６１を振動させる振動源６２と、を備えている。スパイラルエレベータ４０から供給されるペレット６６は、篩用導入路６３を通り、目の粗い篩６１ａ及び目の細かい篩６１ｂによって所定の大きさに選別され、それぞれの大きさによって異なる排出口から排出される。
【００４７】
なお、本発明のペレット製造装置は、振動篩以外に、回転式の篩などを用いることができる。
【００４８】
図１に示すペレット製造装置１００の緩衝部６５は、ペレタイザー３１のペレット排出路３６から排出されたペレット６６をスパイラルエレベータ４０に橋渡す緩衝板６５ａと、この緩衝板６５ａを振動させる振動源６５ｂと、を備えている。この緩衝部６５を備えることによって、ペレット排出路３６を通って勢いよく排出されたペレット６６を安定してスパイラルエレベータ４０に供給することができる。
【産業上の利用可能性】
【００４９】
本発明のペレット製造装置は、熱可塑性樹脂からなるペレットを製造するための装置として好適である。
【図面の簡単な説明】
【００５０】
【図１】本発明のペレット製造装置の一の実施形態を示す模式図である。
【図２】従来のペレット製造装置を示す模式図である。
【符号の説明】
【００５１】
１０：供給部、１１：吐出口、２０，１２０：搬送部（メッシュコンベア）、２１：搬送面、２１ａ：搬送開始端、２１ｂ：搬送終了端、２５，１２５：ストランド状の熱可塑性樹脂（ストランド）、３０，１３０：切断部、３１，１３１：ペレタイザー、３２，１３２：回転刃、３２ａ：回転軸、３２ｂ：刃、３３，１３３：固定刃、３５：ニップロール、３６：ペレット排出路、４０：スパイラルエレベータ、５０，１５０：水分除去部、５１：空気噴出器、５１ａ：噴射ノズル、５１ｂ：供給配管、５１ｃ：空気供給ポンプ、５２：空気吸引器、５２ａ：空気吸引部、５２ｂ：吸引配管、５２ｃ：吸引ポンプ、６０，１６０：振動篩、６１：篩本体、６１ａ：目の粗い篩、６１ｂ：目の細かい篩、６２，６５ｂ：振動源、６３：篩用導入路、６５：緩衝部、６５ａ：緩衝板、６６，１６６：ペレット状の熱可塑性樹脂（ペレット）、１００，２００：ペレット製造装置、１１０：押出機、１１１：オリフィスプレート。
【図１】
2010058481.tif 000003
【図２】
2010058481.tif 000004